(57)【要約】【課題】      操作を簡略化して利便性を向上させた情報表示装置を提供する。【解決手段】  表示装置１１０と、表示装置１１０を制御する表示制御装置１１３と、表示装置１１３を移動可能に支持する支持アーム１２０を備え、パチンコ機２０（遊技機）に対応して設けられる台端末装置１００（情報表示装置）において、表示装置１１０の位置を検出して位置検出信号を出力するスイッチ１１５（検出装置）を備え、表示制御装置１１３は、スイッチ１１５から出力される位置検出信号に基づき、表示装置１１０が予め定められている収容位置（特定位置）に移動したことを判別した場合には、表示装置１１０に表示されている表示画面を予め定められている「遊技機選択用情報画面２００」（第１の表示画面）に変更する。【選択図】    図１
2006149984.tif 000002
【特許請求の範囲】
【請求項１】
表示装置と、前記表示装置を制御する表示制御装置と、前記表示装置を移動可能に支持する支持部材を備え、遊技機に対応して設けられる情報表示装置であって、
前記表示装置の位置を検出して位置検出信号を出力する検出装置を備え、前記表示制御装置は、前記検出装置から出力される位置検出信号に基づき、前記表示装置が予め定められている特定位置に移動したことを判別した場合には、前記表示装置に表示されている表示画面を予め定められている第１の表示画面に変更する、
情報表示装置。
【請求項２】
請求項１に記載の情報表示装置であって、
前記表示制御装置は、前記検出装置から出力される位置検出信号に基づき、前記表示装置が予め定められている特定位置から移動したことを判別した場合には、前記表示装置に表示されている表示画面を予め定められている第２の表示画面に変更する、
情報表示装置。
【請求項３】
請求項１又は２に記載の情報表示装置であって、
前記表示装置に表示する表示画面を指示可能な操作部を備え、
前記表示制御装置は、前記操作部により指示された表示画面を前記表示装置に表示可能であり、また、前記検出装置から出力される位置検出信号に基づき、前記表示装置が前記特定位置に移動されていることを判別している状態において、一定時間以上前記操作部により表示画面が指示されない場合には、前記表示装置に表示されている表示画面を予め定められている第１の表示画面に変更する、
情報表示装置。
【請求項４】
請求項１又は２に記載の情報表示装置であって、
前記表示装置に表示する表示画面を指示可能な操作部を備え、
前記表示制御装置は、前記検出装置から出力される位置検出信号に基づき、前記表示装置が前記特定位置に移動されていることを判別している状態では、前記操作部による操作に関らず前記第１の表示画面を前記表示装置に表示する、
情報表示装置。
【請求項５】
表示装置と、前記表示装置を制御する表示制御装置と、前記表示装置を移動可能に支持する支持部材を備え、遊技機に対応して設けられる情報表示装置であって、
前記表示装置の位置を検出して位置検出信号を出力する検出装置を備え、前記表示制御装置は、前記検出装置から出力される位置検出信号に基づき、前記表示装置が予め定められている特定位置から移動したことを判別した場合には、前記表示装置に表示されている表示画面を予め定められている第２の表示画面に変更する、
情報表示装置。
【請求項６】
表示装置と、前記表示装置を制御する表示制御装置と、前記表示装置を移動可能に支持する支持部材を備え、遊技機に対応して設けられる情報表示装置であって、
前記表示装置の位置を検出して位置検出信号を出力する検出装置と、前記表示装置に表示する表示画面を指示可能な操作部を備え、前記表示制御装置は、前記検出装置から出力される位置検出信号に基づき、前記表示装置が予め定められている特定位置に移動されていることを判別している状態において、前記操作部が操作された場合には、前記表示装置に表示されている表示画面を予め定められている第１の表示画面に変更する、
情報表示装置。
【請求項７】
請求項１に記載の情報表示装置であって、
前記表示制御装置は、前記検出装置から出力される位置検出信号に基づき、前記表示装置が、予め定められている複数の特定位置の中のいずれかの特定位置に移動されたことを判別した場合には、前記表示装置に表示されている表示画面を、当該いずれかの特定位置それぞれに対応して予め定められている第１の表示画面に変更する、
情報表示装置。
【請求項８】
請求項６に記載の情報表示装置であって、
前記表示制御装置は、前記検出装置から出力される位置検出信号に基づき、前記表示装置が、予め定められている複数の特定位置の中のいずれかの特定位置に移動されていることを判別している状態において、前記操作部が操作された場合には、前記表示装置に表示されている表示画面を、当該いずれかの特定位置にそれぞれ対応して予め定められている第１の表示画面に変更する、
情報表示装置。
【請求項９】
請求項１〜６のいずれかに記載の情報表示装置であって、
前記情報表示装置に対応する遊技機は、遊技媒体が転動可能な遊技領域を有する遊技盤を備え、
前記情報報表示装置は、前記遊技機が遊技場に配設された状態において前記遊技盤の上方に配設され、前記表示装置を収容可能な収容位置を有する呼出装置を備え、
前記支持部材は、前記呼出装置と一体に構成されているとともに、前記表示装置を前記収容位置に移動可能に構成されており、
前記特定位置は前記収容位置に設定されている、
情報表示装置。
【発明の詳細な説明】
【技術分野】
【０００１】
本発明は、パチンコ機等の遊技機に対応して設けられた情報表示装置に関する。
【背景技術】
【０００２】
複数のパチンコ機が配置された遊技場には、一般的に、パチンコ機とその左隣のパチンコ機との間に当該パチンコ機に対応する情報表示装置が設けられている。情報表示装置は、対応するパチンコ機の本日の総始動数や大当たり回数等の遊技機情報、会員情報、景品交換情報等を表示する種々の表示画面を表示部に表示可能に構成されている。また、情報表示装置には操作部が設けられており、遊技者が操作部を用いて表示部に表示する表示画面を選択可能に構成されている。
ここで、表示画面に表示されている情報を、遊技者が見易くするために、表示部の位置を変更可能に構成した情報表示装置が提案されている（特許文献１参照）。
【特許文献１】特開平１１−２３９６６２号公報
【発明の開示】
【発明が解決しようとする課題】
【０００３】
上記したように、遊技者は、選択したパチンコ機で遊技を行う場合には、情報表示装置の表示部を見易い位置に変更し、操作部を用いて表示部に所望の表示画面を表示することを指示することができる。この場合、遊技者は、表示部の位置を変更する操作とともに操作部を用いて表示画面を指示する操作を行う必要がある。
ところで、遊技が行われていないパチンコ機に設けられている情報表示装置の表示部に表示されている表示画面には、遊技者が、遊技をするパチンコ機を容易に選択できるように、当該パチンコ機の遊技機情報が表示されているのが好ましい。また、表示部の位置は、遊技場の通路を通行する遊技者が見易い位置（例えば、パチンコ機の遊技盤上方にあって通路側を向いた位置）に配置されているのが好ましい。したがって、遊技が行われていてないパチンコ機に配設されている情報表示装置の表示部に遊技機情報を表示する表示画面以外の表示画面が表示されており、表示部が遊技場の通路を通行する遊技者が見易い位置以外に配置されている場合には、遊技場のスタッフは、表示部の位置を変更する操作とともに操作部を用いて表示部に遊技機情報を表示する表示画面を表示することを指示する操作を行う必要がある。
そこで、本発明が解決しようとする課題は、操作を簡略化して利便性を向上させた情報表示装置を提供することである。
【０００４】
上記課題を達成するため、各請求項記載の発明が構成される。
（請求項１に記載の発明）
請求項１に記載の発明によれば、表示装置と、表示装置を制御する表示制御装置と、表示装置を移動可能に支持する支持部材を備え、遊技機に対応して設けられる情報表示装置が構成される。
そして、本発明の情報表示装置は、さらに、表示装置の位置を検出して位置検出信号を出力する検出装置を備えている。
表示制御装置は、検出装置から出力される位置検出信号に基づき、表示装置が予め定められている特定位置に移動したことを判別した場合には、表示装置に表示されている表示画面を予め定められている第１の表示画面に変更する。
【０００５】
ここで、「表示装置が予め定められている特定位置に移動したこと」とは、表示装置が「特定位置」以外の位置から「特定位置」に移動したことを示す。なお、「特定位置」は、１つでも複数でもよい。
なお、「移動」とは、表示装置の配置位置、あるいは表示装置の表示方向の少なくとも一方を変更することを意味する。
検出装置は、表示装置が特定位置に移動したことを検出することができればよく、例えば、機械的なスイッチ、磁気式の近接センサ、光学式の位置検出センサ、回転軸の回動量に応じたパルスを出力する位置検出センサ等を含む。
「第１の表示画面」は、表示装置が特定位置に移動したことが判別された場合に、自動的に（例えば、人が何らかの操作をしなくても）、表示装置に表示される画面であり、画面に表示される情報のうち更新される情報については更新後の情報が表示される。「第１の表示画面」は、例えば、情報表示装置が配置されている遊技機の遊技機情報の概略、遊技場からの通知等種々の情報を表示可能に構成される。なお、「特定位置」が複数の場合には、「第1の表示画面」として複数種類の表示画面があってもよい。
また、「第１の表示画面」は、少なくとも表示装置が「特定位置」に移動したことが判別された場合に表示されればよく、「特定位置」に存在する状態で表示され続けていてもよいし、他の画面の表示に変更可能に構成されていてもよい。
なお、情報表示装置は、遊技者が、例えば、遊技位置から移動したこと（遊技機の遊技盤の前の椅子から移動したこと）を検出して、自動的に、表示装置を特定位置に移動する構成としてもよい。
【０００６】
本発明の情報表示装置によれば、情報表示装置の表示装置が特定位置に移動したことが判別されたら、自動的に、表示装置に表示されている表示画面が予め定められている第１の表示画面に変更される。したがって、表示装置を特定位置に配置し、なおかつ第１の表示画面を表示装置に表示する場合、表示装置を特定位置に移動する操作だけで、第１の表示画面を表示装置に表示することができ、操作部等を用いて表示部に第１の表示画面を表示することを指示する操作が不要となる。すなわち、情報表示装置の操作が簡略化され、利便性が向上する。
【０００７】
（請求項２に記載の発明）
請求項２に記載の発明は、請求項１に記載の情報表示装置であって、表示制御装置は、検出装置から出力される位置検出信号に基づき、表示装置が、特定位置から移動したことを判別した場合には、表示装置に表示されている表示画面を予め定められている第２の表示画面に変更する。
「第２の表示画面」は、表示装置が特定位置から移動したことが判別された場合に、自動的に、表示装置に表示される画面であり、画面に表示される情報のうち更新される情報については更新後の情報が表示される。「第２の表示画面」は、例えば、遊技者が選択可能な機能のメニュー、情報表示装置が配置されている遊技機の詳細な遊技機情報、次の操作を促す案内、遊技場からの通知等種々の情報を表示可能に構成される。なお、「第２の表示画面」として、複数の種類の画面があってもよい。
また、「第２の表示画面」は、少なくとも表示装置が「特定位置」から移動したことが判別された場合に表示されればよく、「特定位置」に存在していない状態で表示され続けていてもよいし、他の画面の表示に変更可能に構成されていてもよい。
なお、情報表示装置は、遊技者が、例えば、遊技位置に移動したこと（遊技機の遊技盤の前の椅子に座ったこと）を検出して、自動的に、表示装置を特定位置以外（例えば、遊技者寄りの位置や方向）に移動する構成としてもよい。
本発明の情報表示装置によれば、情報表示装置の表示装置が特定位置に移動したことが判別されたら、自動的に、表示装置に表示されている表示画面が予め定められている第１の表示画面に変更される。なおかつ、情報表示装置の表示装置が特定位置から他の位置に移動したことが検出されたら、自動的に、表示装置に表示されている表示画面が予め定められている第２の表示画面に変更される。したがって、表示装置を特定位置に配置し、なおかつ第１の表示画面を表示装置に表示する場合、表示装置を特定位置に移動する操作だけで、第１の表示画面を表示装置に表示することができ、操作部等を用いて表示部に第１の表示画面を表示することを指示する操作が不要となる。また、表示装置を特定位置から移動し、なおかつ第２の表示画面を表示装置に表示する場合、表示装置を特定位置から移動する操作だけで、第２の表示画面を表示装置に表示することができ、操作部等を用いて表示部に第２の表示画面を表示することを指示する操作が不要となる。すなわち、情報表示装置の操作が簡略化され、利便性が向上する。
【０００８】
（請求項３に記載の発明）
請求項３に記載の発明は、請求項１又は２に記載の情報表示装置であって、表示装置に表示する表示画面を指示可能な操作部を備え、表示制御装置は、操作部により指示された表示画面を表示装置に表示可能であり、また、検出装置から出力される位置検出信号に基づき、表示装置が特定位置に移動されていることを判別している状態において、一定時間以上前記操作部により表示画面が指示されない場合には、表示装置に表示されている表示画面を予め定められている第１の表示画面に変更する。
「操作部」は、表示装置に表示する表示画面を指示することができればよく、例えば、表示画面の種類（遊技機情報の概要を表示する画面、メニュー画面、詳細な遊技機情報を表示する画面、会員情報を表示する画面等）を切り替える操作、表示画面に表示されている項目を選択する操作や選択した項目に決定する操作を行うことが可能に構成されている。「操作部」としては、典型的には、表示装置に設けられた機械的なキー、表示装置に表示されるタッチセンサキーが設けられている。
なお、「表示装置が特定の位置に移動されていること」とは、表示装置が特定の位置に存在していることを意味する。
本発明の情報表示装置によれば、一定時間以上操作部により表示画面が指示されない場合には、第１の表示画面を表示装置に表示する。一定時間以上操作部により表示画面が指示されていない状態としては、当該遊技機で遊技が行われていないか、遊技は行われていても情報表示装置が用いられていない状態が考えられる。したがって、表示画面が第１の表示画面に切り替わっても問題ない。これによれば、表示装置が特定の位置に移動されている状態おいて、第１の表示画面を表示装置に表示する操作を行う手間が軽減される。
【０００９】
（請求項４に記載の発明）
請求項４に記載の発明は、請求項１又は２に記載の情報表示装置であって、表示装置に表示する表示画面を指示可能な操作部を備え、表示制御装置は、検出装置から出力される位置検出信号に基づき、表示装置が特定位置に移動されていることを判別している状態では、操作部による操作に関らず第１の表示画面を表示装置に表示する。
「表示装置が特定位置に移動されていることを判別している状態では、操作部による操作に関らず第１の表示画面を表示装置に表示する」という記載は、表示制御装置は、表示装置が特定位置に移動されている時には、第１の表示画面を表示し続けることを意味する。
本発明の情報表示装置によれば、表示装置が特定位置に移動されている状態では、第１の表示画面が表示され続けている。したがって、遊技場において、表示装置が特定位置にある場合には、表示させ続けておきたい表示画面を第１の表示画面として予め定めれば、操作部を用いて特定位置にある表示装置の表示画面に第１の表示画面を表示することを指示する操作を行う必要がない。これによれば、表示装置が特定の位置に移動されている状態おいて、第１の表示画面を表示装置に表示する操作を行う手間が軽減される。
【００１０】
（請求項５に記載の発明）
請求項５に記載の発明によれば、表示装置と、表示装置を制御する表示制御装置と、表示装置を移動可能に支持する支持部材を備え、遊技機に対応して設けられる情報表示装置が構成される。
そして、情報表示装置は、表示装置の位置を検出して位置検出信号を出力する検出装置を備えている。
表示制御装置は、検出装置から出力される位置検出信号に基づき、表示装置が予め定められている特定位置から移動したことを判別した場合には、表示装置に表示されている表示画面を予め定められている第２の表示画面に変更する。
本発明の情報表示装置によれば、情報表示装置の表示装置が特定位置から他に位置に移動したことが検出されたら、自動的に、表示装置に表示されている表示画面が予め定められている第２の表示画面に変更される。したがって、表示装置を特定位置から移動し、なおかつ第２の表示画面を表示装置に表示する場合、表示装置を特定位置から移動する操作だけで、第２の表示画面を表示装置に表示することができ、操作部等を用いて表示部に第２の表示画面を表示することを指示する操作が不要となる。すなわち、情報表示装置の操作が簡略化され、利便性が向上する。
【００１１】
（請求項６に記載の発明）
請求項６に記載の発明によれば、表示装置と、表示装置を制御する表示制御装置と、前記表示装置を移動可能に支持する支持部材を備え、遊技機に対応して設けられる情報表示装置が構成される。
そして、情報表示装置は、表示装置の位置を検出して位置検出信号を出力する検出装置と、表示装置に表示する表示画面を指示可能な操作部を備えている。
表示制御装置は、検出装置から出力される位置検出信号に基づき、表示装置が予め定められている特定位置に移動されていることを判別している状態において、操作部が操作された場合には、表示装置に表示されている表示画面を予め定められている第１の表示画面に変更する。
「操作部」としては、単一のキー（機械的なキー、タッチセンサキーを含む。）、複数のキーの中の特定のキー等を含む。
本発明の情報表示装置によれば、情報表示装置の表示装置が特定位置に移動している状態で、なおかつ操作部が操作された場合に、表示装置に表示されている表示画面が予め定められている第１の表示画面に変更される。したがって、表示装置を特定位置に配置して操作部を操作すれば、例えば、ワンタッチで表示部に第１の表示画面を表示することができる。すなわち、表示装置が特定の位置に移動されている状態おいて、第１の表示画面を表示するための操作が簡略化され、利便性が向上する。
【００１２】
（請求項７に記載の発明）
請求項７に記載の発明は、請求項１に記載の情報表示装置であって、表示制御装置は、検出装置から出力される位置検出信号に基づき、表示装置が、予め定められている複数の特定位置の中のいずれかの特定位置に移動されたことを判別した場合には、当該いずれかの特定位置それぞれに対応して予め定められている第１の表示画面を表示装置に表示する。
「第１の表示画面」は１つでもよいし複数種類あってもよい。
本発明の情報表示装置によれば、表示装置が、予め定められている複数の特定位置の中のいずれかに移動されたら、移動された特定位置に対応して予め定められている第１の表示画面が表示装置に表示される。したがって、遊技者が表示画面を切り替える操作を行う回数を減少させることができ、遊技者の操作が簡略化され、遊技者にとって利便性が向上する。
【００１３】
(請求項８に記載の発明)
請求項８に記載の発明は、請求項６に記載の情報表示装置であって、表示制御装置は、検出装置から出力される位置検出信号に基づき、表示装置が、予め定められている複数の特定位置の中のいずれかの特定位置に移動されていることを判別している状態において、操作部が操作された場合には、表示装置に表示されている表示画面を、当該いずれかの特定位置にそれぞれ対応して予め定められている第１の表示画面に変更する。
本発明の情報表示装置によれば、情報表示装置の表示装置が特定位置に移動している状態で、なおかつ操作部が操作された場合に、移動された特定位置に対応して予め定められている第１の表示画面が、例えば、ワンタッチで表示装置に表示される。したがって、遊技者が表示画面を切り替える操作が簡略化され、遊技者にとって利便性が向上する。
【００１４】
（請求項９に記載の発明）
請求項９に記載の発明は、請求項１〜６のいずれかに記載の情報表示装置であって、情報表示装置に対応する遊技機は、遊技媒体が転動可能な遊技領域を有する遊技盤を備え、情報表示装置は、遊技機が遊技場に配設された状態において前記遊技盤の上方に配設され、表示装置を収容可能な収容位置を有する呼出装置を備えている。
そして、支持部材は、呼出装置と一体に構成されているとともに、表示装置を収容位置に移動可能に構成されており、特定位置は収容位置に設定されている。
「呼出装置」は、例えば、遊技者が遊技場のスタッフを呼び出すスイッチを操作すると点灯あるいは点滅するランプとして構成される。「呼出装置」には、「収容位置」として収容部が設けられていてもよいし、位置のみが設定されていてもよい。
「収容位置」としては、遊技場の通路を通行する遊技者が表示画面を見易い位置であることが好ましい。
本発明の情報表示装置によれば、呼出装置と表示装置は支持部材を介して接続されており、表示装置は呼出装置の収容位置に収容可能に構成されているので、遊技場に、遊技機に対応する情報表示装置を設置する際に、呼出装置と表示装置を別々に取り付ける手間が省け、作業工数を削減することができる。
また、「特定位置」として「収容位置」が設定されているので、例えば、前記した「第１の表示画面」として、遊技者が遊技機を容易に選択できる情報を表示する表示画面、すなわち、当該遊技機の遊技機情報が表示される画面が設定されていれば、遊技場のスタッフは、表示装置を「収容位置」に移動するだけで、この表示画面を表示部に表示させることができる。また、例えば、前記した「第２の表示画面」として、遊技者が操作部を用いて表示部に表示させる画面を選択可能なメニュー画面が設定されていれば、遊技者は、表示装置を「収容位置」から移動する（遊技者寄りに移動する）だけで、この表示画面を表示部に表示させることができる。このような場合、遊技者や遊技場のスタッフは、表示部に表示する表示画面を指示する操作を行う手間が省ける。したがって、遊技者や遊技場のスタッフにとって、情報表示装置の操作が簡略化され、利便性が向上する。
【発明の効果】
【００１５】
本発明によれば、操作を簡略化して利便性を向上させた情報表示装置が提供されることとなった。
【発明を実施するための最良の形態】
【００１６】
以下に、本発明を実施するための最良の形態の一例につき、図１〜図９を参照して説明する。本実施の形態では、本発明の情報表示装置を、パチンコ機の近傍に当該パチンコ機に対応して設けられる台端末装置に適用した場合について説明する。
本実施の形態の台端末装置は、遊技場の店員を呼び出すためにパチンコ機の上部に配設されているランプと一体的に構成されている。台端末装置は表示装置と支持アームを有し、表示装置は、支持アームによりランプの最も近くの位置（遊技されていない状態で表示装置を配置するのに好ましい位置、以降「収容位置」と称呼する。）や、下方に下ろした位置に移動することができる構成となっている。そして、上記した収容位置に表示装置が配置されると、自動的に、表示装置に「遊技機選択用情報画面」（遊技者が複数のパチンコ機の中から遊技するパチンコ機を選択するための情報が提供される画面）が表示される。
【００１７】
図１には、各パチンコ機に対応する台端末装置が設けられ、台端末装置の表示装置が収容位置に配置されている場合と、下方に下ろした位置に配置されている場合を示す概略構成図を示す。図２には、複数のパチンコ機が設けられた遊技システムの全体概略構成図を示す。図３、図４には、図２に示した遊技システムの記憶装置に記憶されている情報の例を示す。図５〜図９には、台端末装置の表示装置に表示される画面の例を示す。
【００１８】
まず、図１を用いて、台端末装置１００の概略構成を説明する。
複数のパチンコ機２０は、基台１０に取り付けられて遊技場に配置され、その鉛直方向上方には、ランプ板３０が配設される。ランプ板３０には、各パチンコ機２０に対応してランプ４０及び台端末装置１００が取り付けられる。
ランプ４０は、パチンコ機２０の遊技者が、遊技場のスタッフを呼び出すボタン（特に図示していない。）を操作することにより点灯する。遊技場のスタッフは、点灯しているランプ４０があれば、そこに出向き遊技者に用件を尋ねる。
【００１９】
台端末装置１００は、表示装置１１０と支持アーム１２０を有している。支持アーム１２０の長手方向一端は、ランプ４０の鉛直方向下方にランプ４０と一体的に設けられた台端末装置１００の支持部４１に、回動可能に取り付けられる。これにより、支持アーム１２０は、遊技盤面と直角に交わる鉛直方向の面上において、支持部４１に取り付けられた一端を中心に回動可能に構成される。また、支持アーム１２０の長手方向他端は、表示装置１１０に回動可能に取り付けられる。これにより、表示装置１１０の表示面（表示部）を上下に自在に傾けることがきるように構成されている。
表示装置１１０は、支持アーム１２０の表示装置１１０に取り付けられている端部（上記した、長手方向他端）が最も上方に位置する状態で、ランプ４０に最も近いランプ４０の横の位置（図１に示す右側の表示装置１１０の位置）、したがって収容位置に配置するように構成されている。表示装置１１０が収容位置に配置された状態では、表示装置１１０の表示面はランプ板３０の表面と平行に配置される。なお、台端末装置１００には、表示装置１１０が収容位置に配置されると機械的接点がオンするスイッチ１１５（併せて、図２参照）が設けられている。
遊技者が表示装置１１０に手をかけ表示装置１１０を下方に下ろすと、支持アーム１２０が支持部４１に取り付けられた一端を中心にパチンコ機２０の前方に向って回転し、表示装置１１０が前方に突出しながら下方に下りてくる。この際、スイッチ１１５はオフ状態となる。
遊技者は、このように、表示装置１１０を手元に下ろし、表示装置１１０の表示面を見やすい角度に傾けることができる。表示装置１１０の詳細な構成は後述する。
本実施の形態の「パチンコ機２０」は本発明の「遊技機」に、本実施の形態の「台端末装置１００」は本発明の「情報表示装置」に、本実施の形態の「支持アーム１２０」は本発明の「支持部材」に、本実施の形態の「表示器１１４」は本発明の「表示装置」に、本実施の形態の「収容位置」は本発明の「特定位置」、「収容位置」に、本実施の形態の「スイッチ１１５」は本発明の「検出装置」に対応する。
【００２０】
次に、図２を用いて、遊技システムの概略構成について説明する。
遊技場に設けられる遊技システムは、図２に示すように、複数のパチンコ機２０を有している。各パチンコ機には、各パチンコ機に対応する遊技機管理ユニット２１が設けられている。各遊技機管理ユニット２１は、遊技場の本部や事務所等に設置されている管理装置（ホールコンピュータ等）５０に接続されている。
遊技機管理ユニット２１は、遊技機ＩＤ（例えば、「台番号」）とともにパチンコ機２０の遊技機情報、例えば、所定時間内のセーフ数（パチンコ球の払い出し数）、アウト数（パチンコ球の投入数）、大当たり回数（入賞して大当たりを引き当てた回数）、始動数（入賞してデジタルや役物等を作動することができた回数）、確変回数（入賞して確率変動を引き当てた回数）等を管理装置５０に送信する。
管理装置５０では、このように、各遊技機管理ユニット２１から送信される遊技機情報に基づいて、各パチンコ機２０の遊技機情報を記憶装置６０に記憶させて管理している。なお、記憶装置６０には、他にも遊技場の会員の情報や景品の情報等種々の遊技情報が記憶されており、管理装置５０により、読み出し、追加、更新、削除等の種々の操作が可能であるように構成されている。
そして、本実施の形態の台端末装置１００は、遊技機管理ユニット２１と接続されており、遊技機管理ユニット２１と情報の送受信が可能に構成されている。
【００２１】
次に、図３、図４を用いて、図２に示す記憶装置６０に記憶されている遊技情報の一例を説明する。
図３では、各パチンコ機に関する遊技機情報データベースの一例を示す。遊技機情報データベースには、各パチンコ機２０の台番号（ｔ１）に対応させて、各パチンコ機２０の機種名（ｔ２）、所定時間毎のアウト数の履歴（ｔ３）、所定時間毎のセーフ数の履歴（ｔ４）、現在の始動数（ｔ５）、本日の総始動数（ｔ６）、本日の累積大当たり回数（ｔ７）、本日の累積確変回数（ｔ８）等が記憶されている。
図４では、遊技場の会員に関する会員情報データベースの一例を示す。会員情報データべースには、各会員の会員ＩＤ（ｓ０）に対応させて、会員番号（ｓ１）、会員名（ｓ２）、住所（ｓ３）、電話番号（ｓ４）、当該会員の遊技の履歴（ｓ５）、貯玉数（ｓ６）等が記憶されている。ここで、貯玉とは、遊技者が、景品交換を行わずに遊技場に預けてある玉の数を示す。遊技者は、遊技場の会員として登録することにより貯玉を行うことができる。
【００２２】
ここで、台端末装置１００の表示装置１１０の詳細な構成について説明する。
表示装置１１０は、表示器１１４、操作部１１２を備えている（図１参照）。表示器１１４は、液晶表示器を用いて構成され、画面に表示されるキーをタッチセンサ方式で入力可能な構成となっている。操作部１１２には、テンキー、表示器１１４に表示されるカーソルを上下左右に移動可能なキーが設けられている。遊技者は、画面にタッチすることで、あるいは操作部１１２を操作することで、キー入力を行うことが可能となっている。
次に、表示装置１１０のブロック図（図２参照）を用いて、表示装置１１０の電気系の構成を説明する。
表示装置１１０には、ＣＰＵを用いて構成される表示制御装置１１３が設けられている。表示制御装置１１３には、前記した操作部１１２、表示装置１１０が収容位置に配置されたことを検出するスイッチ１１５、タッチセンサを有する表示器１１４が接続されている。表示制御装置１１３は、スイッチ１１５、操作部１１２、表示器１１４のタッチセンサからの入力信号に基づいて、インターフェース部１１１を介し、遊技機管理ユニット２１を介して管理装置５０に情報の要求信号を送信し、これにより管理装置５０から送信された情報を受信する。そして、受信した情報を表示器１１４に表示する。
なお、表示制御装置１１３は、メモリを有しており（特に図示していない。）、当該、メモリに記憶されている情報を表示器１１４に表示することもできる。
【００２３】
次に、図５〜図９を用いて、表示制御装置１１３が表示器１１４に表示する画面を説明する。
表示制御装置１１３は、スイッチ１１５がオンしたことを検出すると（表示装置１１０が収容位置に配置されると）、遊技機管理ユニット２１を介して管理装置５０に、現在の始動数、本日の総始動数、本日の大当たり回数、本日の確変回数、スランプグラフの表示用データの要求信号を送信する。この際、遊技機管理ユニット２１は、当該遊技機管理ユニット２１に接続されているパチンコ機の台番号を付加して管理装置５０に送信する。管理装置５０は、記憶装置６０の遊技機情報データベースから、遊技機管理ユニット２１から受信した台番号に対応する遊技機情報のうち、現在の始動数（ｔ５）、本日の総始動数（ｔ６）、本日の大当たり回数（ｔ７）、本日の確変回数（ｔ８）、所定時間毎のアウト数（ｔ３）、所定時間毎のセーフ数（ｔ４）を読み出す。そして、所定時間毎のアウト数（ｔ３）、所定時間毎のセーフ数（ｔ４）からスランプグラフ表示用のデータを算出し、算出したデータと、現在の始動数、本日の総始動数、本日の大当たり回数、本日の確変回数を、要求信号を送信した遊技機管理ユニット２１に送信する。
遊技機管理ユニット２１は、受信した遊技機情報を台端末装置１００に送信する。
表示装置１１０の表示制御装置１１３は、遊技機管理ユニット２１から受信した情報に基づいて、図５に示す遊技機選択用情報画面２００を表示する。
遊技機選択用情報画面２００には、当該台端末装置１００が配設されているパチンコ機２０の機種名を表示する表示部２０１、台番号を表示する表示部２０２、管理装置５０から遊技機管理ユニット２１を介して受信した遊技機情報を表示する表示部２０３、次の状態の画面に進むためのキー２０４、図６に示すメニュー画面２１０を表示するためのキー２０５が設けられている。なお、表示部２０１〜２０３，キー２０４，２０５を表示するための情報及び表示画面のフォーマットの情報は前述した表示制御装置１１３のメモリに記憶されている。
表示装置１１０が収容位置に配置されると、台端末装置１００は、自動的に、この遊技機選択用情報画面２００を表示する。遊技者は、遊技場の通路を通行しながら複数のパチンコ機に対応する台端末装置１００の表示装置１１０に表示されているこの画面を見て、遊技するパチンコ機を選択することができる。本実施の形態では、収容位置はパチンコ機２０の上部枠外のランプ４０の隣の位置であり、収容位置に配置された表示装置１１０は通路を通行する遊技者の目線に近く、遊技者が通路を通行しながら遊技機選択用情報画面２００を見易い構成となっている。
【００２４】
表示制御装置１１３は、スイッチ１１５がオフしたことを検出すると（表示装置１１０が収容位置から移動されると）、まず、表示器１１４に、図６に示すメニュー画面２１０を表示する。
メニュー画面２１０を表示する情報は、表示制御装置１１３のメモリに記憶されている。
メニュー画面２１０には、対応するパチンコ機２０の機種名を表示する表示部２１１、台番号を表示する表示部２１２、選択可能なメニューが一覧表示されたメニュー表示部２１４、メニューの中から１つのメニューを選択することを促すコメントが表示されているコメント表示部２１３、メニュー表示部２１４で選択されているメニューに重ねて表示されるカーソル２１９、カーソル２１９を移動させるカーソル移動キー２１５、選択されたメニューに決定する決定キー２１６、前の状態の画面に戻るキー２１７、次の状態の画面に移行するキー２１８が設けられている。
メニュー表示部２１４に表示されているメニューとしては、“遊技機選択用情報”、“詳細情報”、“貯玉引き落とし”、“景品交換”、“会員情報”、“テレビ放送”、“遊技場からのお知らせ”が表示されている。さらに、詳細情報としては、本日のデータ、過去のデータ、時間大当たりデータ、月間大当たりデータが表示されている。カーソル２１９は、これらのメニューの中のいずれかを選択する（メニュー上に表示される。例えば、メニューの文字が白抜きとなる。）。
遊技者はカーソル移動キー２１５を用いて、カーソル２１９を所望のメニューの箇所へ移動し、決定キー２１６を操作する。これにより、選択したメニューの画面が表示される。
【００２５】
なお、メニューの“遊技機選択用情報”を選択し決定すると、図５に示す「遊技機選択用情報画面２００」に戻る。また、メニューの“本日のデータ”を選択し決定すると、本日のパチンコ機２０の遊技機情報の詳細を表示する画面に移行する。また、メニューの“過去のデータ”を選択し決定すると、数日前から本日までの遊技機情報の詳細を表示する画面に移行する。また、同様に、“時間大当たりデータ”を選択し決定すると、本日の何時から何時まで大当たり状態あるいは確変状態であったかを表示する画面に移行する。また、“月間大当たりデータ”を選択し決定すると、図７に示す過去３０日分の大当たりあるいは確変当たりの実績を表示する画面に移行する。“テレビ放送”を選択すると、テレビ放送を見ることができる。“遊技場からのお知らせ”を選択すると、遊技場の営業日や営業時間、パチンコ機を入れ替える日（新台入れ替え）を表示する画面に移行する。
【００２６】
また、“貯玉引き落とし”を選択し決定すると、表示制御装置１１３は、まず、図８に示す会員カードの挿入を促す画面を表示する。遊技者が会員カードをカード挿入口（特に図示していない。）に挿入すると、会員カードから当該遊技者の会員ＩＤが読み取られる。次に、表示制御装置１１３は暗証番号を入力する画面（特に図示していない。）を表示する。遊技者が暗証番号を入力すると、表示制御装置１１３は、遊技機管理ユニット２１を介して管理装置５０に、パチンコ機の台番号、および会員カードから読み取られた遊技者の会員ＩＤ、暗証番号、貯玉の情報の要求信号を送信する。管理装置５０は、会員ＩＤと暗証番号を認証したら、記憶装置６０の会員情報データベースから、受信した会員ＩＤ（ｓ０）に対応する会員の会員番号（ｓ１）、会員名（ｓ２）、貯玉数（ｓ６）を読み出し、要求信号を送信した遊技機管理ユニット２１に送信する。遊技機管理ユニット２１は、受信した遊技情報を台端末装置１００に送信する。表示装置１１０の表示制御装置１１３は、遊技機管理ユニット２１から受信した情報に基づいて、図９に示す貯玉引き落とし操作の画面を表示する。
また、“景品交換”を選択すると、“貯玉引き落とし”の場合と同様に、まず図８の示す会員カードの挿入を促す画面を表示し、遊技者が会員カードをカード挿入口に挿入し、暗証番号を入力することによりオンラインで景品交換操作を行うことができる画面に移行する。景品交換に関しては、一般的に管理装置に景品交換サーバ（特に図示していない。）が設けられており、景品交換サーバとの情報の送受信によって景品交換操作を行うことができるが、本発明の要旨とは関係ないので詳細な説明は省略する。
また、“会員情報”を選択すると、“貯玉引き落とし”の場合と同様に、まず図８の示す会員カードの挿入を促す画面を表示し、遊技者が会員カードをカード挿入口に挿入すると、会員カードから当該遊技者の会員ＩＤが読み取られる。次に、表示制御装置１１３は暗証番号を入力する画面（特に図示していない。）を表示する。遊技者が暗証番号を入力すると、表示制御装置１１３は、遊技機管理ユニット２１を介して管理装置５０に、パチンコ機の台番号、および会員カードから読み取られた遊技者の会員ＩＤ、暗証番号、会員情報の要求信号を送信する。管理装置５０は、会員ＩＤと暗証番号を認証したら、記憶装置６０の会員情報データベースから、受信した会員ＩＤ（ｓ０）に対応する会員の会員番号（ｓ１）、会員名（ｓ２）、遊技履歴（ｓ５）を読み出し、要求信号を送信した遊技機管理ユニット２１に送信する。遊技機管理ユニット２１は、受信した遊技情報を台端末装置１００に送信する。表示装置１１０の表示制御装置１１３は、遊技機管理ユニット２１から受信した情報に基づいて、遊技者の遊技履歴が表示される画面を表示する。
なお、各画面には、前の状態の画面に戻るキー、次の状態の画面に移行するキー、メニュー画面２１０に戻るキー等が適宜表示される。
【００２７】
本実施の形態の台端末装置１００によれば、表示装置１１０が収容位置に配置されると、自動的に、「遊技機選択用情報画面２００」が表示される。したがって、遊技場のスタッフは、遊技が終了しているパチンコ機２０の片付けを行う際に、表示装置１１０に表示されている画面を「遊技機選択用情報画面２００」に戻す操作を行う必要がなくて便利である。
また、表示装置１１０が収容位置から他の位置に移動されると、自動的に、まず「メニュー画面」の表示に切り替わる。したがって、遊技者は、「遊技機選択用情報画面２００」等を参照して選択したパチンコ機２０の前に座し、表示装置１１０を下方に下ろすと、「メニュー画面２１０」が表示されるので、台端末装置１００の使用方法が分かりやすく便利である。
【００２８】
なお、本発明は、実施の形態で説明した構成に限定されず種々の変更、追加、削除が可能である。
実施の形態では、遊技機がパチンコ機である場合について説明したが、勿論、遊技機がスロットマシン等の場合にも適用することができる。
また、遊技機管理ユニット２１が管理装置５０に送信する情報の種類、記憶装置６０に記憶されている情報の種類、表示制御装置１１３のメモリに記憶されている情報の種類は、実施の形態に限定されるものではない。
また、各表示画面に表示される情報は、実施の形態に限定されるものではない。なお、「遊技機選択用情報画面２００」には、少なくとも、当日の総始動回数、当日の大当たり回数が表示されると、遊技者が遊技をするパチンコ機を容易に選択することができる。
また、例えば、遊技機選択用情報画面２００の表示画面のうち半分に、遊技場からの通知等が表示されていてもよい。
また、実施の形態では、メニュー画面２１０で、“貯玉引き落とし”や“会員情報”や“景品交換”を選択する場合、会員識別情報の入力のために、図８に示すような、会員カードをカード挿入口（特に図示していない。）に挿入することを促す画面が表示される場合について説明したが、スイッチ１１５がオフすると（表示装置１１０が収容位置から移動されると）、まず、会員カードをカード挿入口に挿入することを促す画面が表示されるようにしてもよい。また、会員ＩＤの入力のために、操作部１１２のキーで会員ＩＤあるいは会員番号を直接入力する画面（特に図示していない。）が表示されてもよい。いずれの場合も、会員ＩＤが必要な場合には、会員ＩＤの入力を促す画面が自動的に表示されるので、遊技者は、台端末装置１００の使用方法が分かりやすく便利である。
また、“景品交換”を選択すると、図１０に示すような、本日遊技場が推薦する景品の一覧が表示されてもよい。これによれば、遊技場と遊技者のコミュニケーションが図られ、遊技者の遊技場に対する好感度が上昇する。
また、本実施の形態では、表示装置１１０が収容位置に配置されている場合には、まず、「遊技機選択用情報画面２００」を表示し、タッチセンサキーや操作部１１２を操作することにより、メニュー画面２１０等を表示することができる場合について説明したが、収容位置では、遊技者が遊技するパチンコ機を選択するための情報以外は表示しないように構成してもよい。例えば、メニュー画面２１０を表示するキー２０５は表示せず、キー２０４を操作するとパチンコ機の詳細データのみをさらに選択して表示することができる選択画面が表示されるようにしてもよい。
また、表示装置１１０が収容位置にある場合には、操作部１１２を操作しても「遊技機選択用情報画面２００」が表示され続けるように構成されていてもよい。この場合、例えば、表示装置１１０が収容位置にある場合には、操作部１１２の操作キーをロックするように構成されていてもよいし、表示制御装置１１３が操作部１１２からの指示を受け付けないように構成されていてもよい。これによれば、遊技が終了している遊技機に設けられている台端末装置１００について、表示装置１１０が収容位置にあるものの遊技機選択用情報画面２００以外の表示画面が表示されているという状態がなくなる。したがって、遊技場のスタッフが、操作部１１２を用いて収容位置にある表示装置１１０の表示画面に「遊技機選択用情報画面２００」を表示することを指示する操作を行う手間が省ける。このため、遊技場のスタッフの操作が簡略化され、利便性が向上する。
また、表示装置１１０が収容位置に配置されており、操作部１１２が一定時間以上操作されなかった場合には、表示装置１１０に「遊技機選択用情報画面２００」を表示するように構成してもよい。一定時間以上操作部１１２により表示画面が指示されていない状態としては、当該パチンコ機２０で既に遊技が行われていないか、遊技は行われていても台端末装置１００が用いられていない状態が考えられる。したがって、表示画面が「遊技機選択用情報画面２００」に切り替わっても問題ない。これによれば、遊技者の遊技が終了したパチンコ機２０に配置されている表示装置１１０の表示画面を、遊技場のスタッフが、「遊技機選択用情報画面２００」に変更する操作が不要となる。したがって、遊技場のスタッフの操作が軽減され、利便性が向上する
台端末装置１００の構成は、実施の形態に限定されるものではない。本実施の形態では、台端末装置１００はランプ４０と一体的にランプ板３０に配設したが、例えば、一般的にパチンコ機２０の左隣に設けられる、球払出装置に配設されてもよい。
また、支持アーム１２０は、フレキシブルアームやボールアーム等を用いて３次元的に表示装置を移動可能な構成としてもよい。これによれば、遊技者は、表示装置１１０を見易い位置（方向も含む。）に移動し易い。
また、収容位置に対応する表示画面（「遊技機選択用情報画面２００」）を表示するためのワンタッチキーが設けられ、表示装置１１０が収容位置に移動されている状態で当該キーが操作されることにより対応する表示画面が表示されるように構成されていてもよい。これによれば、表示装置１１０が収容位置にある状態では、ワンタッチで対応する表示画面を表示することができるので、操作が簡略化される。
また、実施の形態では、表示装置１１０が収容位置に配置された場合に、「遊技機選択用情報画面」を自動的に表示するように構成し、本発明の「特定位置」が「収容位置」１箇所である場合について説明したが、「特定位置」は複数設けられていてもよい。これによれば、表示装置１１０は移動した位置に対応する画面を自動的に表示することができる。例えば、「収容位置」では、「遊技機選択用情報画面２００」、表示装置１１０を下限の位置まで下ろすと図２に示す「メニュー画面」、それ以外の位置では図８に示す会員カードの挿入を促す画面を表示するように構成してもよい。これによれば、遊技者は、画面を切り替える手間が省ける。また、複数の「特定位置」に対応する表示画面を表示するためのワンタッチキーが設けられ、表示装置１１０がいずれかの特定の位置に移動されている状態で当該キーが操作されることにより対応する表示画面が表示されるように構成されていてもよい、これによれば、ワンタッチで移動した位置に対応する画面を表示することができるので、操作が簡略化される。
また、検出装置は、表示装置１１０が特定位置に移動したことを検出することができればよく、本実施のように機械的なスイッチではなくてもよい。例えば、磁気式の近接センサや光学式の位置検出センサ、回転軸の回動量に応じたパルスを出力する位置検出センサでもよい。回転軸の回動量に応じたパルスを出力する位置検出センサを用いる場合には、各回転軸の回動量に応じたパルスの積算値に基づいて表示装置１１０の位置を検出する。前述したように、支持アーム１２０が、フレキシブルアームやボールアーム等を用いて３次元的に移動可能な構成とし、また、「特定位置」を複数設けて、位置に応じた表示画面を表示する場合には、３次元的な位置を検出可能な種類の位置検出センサを用いる。この場合、例えば、メニュー画面として、表示装置１１０の移動方向と、各方向に移動した際に表示される画面の種類が表示されると、操作が分かり易い。
また、表示装置１１０は、遊技者の着座状態に基づいて自動的に移動可能に構成されていてもよい。この場合、遊技者の着座状態を検出する検出センサと、検出センサの検出信号に基づいて表示装置１１０を移動させる駆動装置が設けられる。そして、例えば、検出信号に基づいて遊技者が椅子から立ったこと（あるいは、椅子から立ってから所定時間経過したこと）が検出された場合には、駆動装置は、表示装置１１０を収容位置に移動させる。また、検出信号に基づいて遊技者が椅子に座ったこと（あるいは、椅子に座ってから所定時間経過したこと）が検出された場合には、駆動装置は、表示装置１１０を収容位置から遊技者寄りの所定の位置に移動させる。これによれば、表示装置の位置を変更する手間が省ける。
【図面の簡単な説明】
【００２９】
【図１】パチンコ機２０に対応する台端末装置１００が設けられ、台端末装置１００の表示装置１１０が収容位置に配置されている場合と、下方に下ろした位置に配置されている場合の概略構成図を示す。
【図２】本発明の台端末装置１００を設けた遊技システムの全体概略構成図である。
【図３】図２に示した遊技システムの記憶装置６０に記憶されている「遊技機情報データベース」の一例を示す。
【図４】図２に示した遊技システムの記憶装置６０に記憶されている「会員情報データベース」の一例を示す。
【図５】台端末装置１００の表示装置１１０が収容位置に移動されたら、まず表示する「遊技機選択用情報画面２００」の一例を示す。
【図６】表示装置１１０が収容位置以外に移動されたら、まず表示する「メニュー画面２１０」の一例を示す。
【図７】メニュー画面２１０に表示されているメニューから“月間大当たりデータ”が選択された場合の表示画面の一例を示す。
【図８】会員カードの挿入を促す表示画面を示す。
【図９】メニュー画面２１０に表示されているメニューから“景品交換”が選択された場合の表示画面の一例を示す。
【図１０】メニュー画面２１０に表示されているメニューから“貯玉引き落とし操作”が選択された場合の表示画面の一例を示す。
【符号の説明】
【００３０】
１０  基台
２０  パチンコ機
２１  遊技機管理ユニット
３０  ランプ板
４０  ランプ
４１  支持部
５０  管理装置
６０  記憶装置
１００  台端末装置
１１０  表示装置
１１１  インターフェース部
１１２  操作部
１１３  表示制御装置
１１４  表示器
１１５  スイッチ
１２０  支持アーム
２００  遊技機選択用情報画面
２１０  メニュー画面
【図１】
2006149984.tif 000003
【図２】
2006149984.tif 000004
【図３】
2006149984.tif 000005
【図４】
2006149984.tif 000006
【図５】
2006149984.tif 000007
【図６】
2006149984.tif 000008
【図７】
2006149984.tif 000009
【図８】
2006149984.tif 000010
【図９】
2006149984.tif 000011
【図１０】
2006149984.tif 000012